(57)【特許請求の範囲】
【請求項１】
利用者に所望の施設を選択させる選択手段と、
インターネット上の検索エンジンを制御し、前記選択手段により選択された施設のホームページ内から当該施設周辺の簡易地図候補画像を検索させる検索制御手段と、
前記簡易地図候補画像のファイル名に基づいて、前記簡易地図候補画像から簡易地図画像を検出する検出手段と、
前記検出手段により検出された簡易地図画像を表示手段に表示させる表示制御手段と、
を備えることを特徴とする表示装置。
【請求項２】
前記検出手段は、前記ファイル名に所定の文字列が含まれる簡易地図候補画像を前記簡易地図画像として検出することを特徴とする請求項１に記載の表示装置。
【請求項３】
前記検出手段は、前記簡易地図候補画像のファイル名及び画像サイズに基づいて、前記簡易地図候補画像から前記簡易地図画像を検出することを特徴とする請求項１に記載の表示装置。
【請求項４】
前記検出手段は、前記ファイル名に所定の文字列が含まれ、且つ前記画像サイズが所定値以上である簡易地図候補画像を前記簡易地図画像として検出することを特徴とする請求項３に記載の表示装置。
【請求項５】
移動体と共に移動するナビゲーション装置であって、
利用者に所望の施設を目的地として選択させる選択手段と、
インターネット上の検索エンジンを制御し、前記選択手段により選択された施設のホームページ内から当該施設周辺の簡易地図候補画像を検索させる検索制御手段と、
前記簡易地図候補画像のファイル名に基づいて、前記簡易地図候補画像から簡易地図画像を検出する検出手段と、
前記移動体が前記目的地である施設から所定距離内に接近した場合に、前記検出手段により検出された簡易地図画像を表示手段に表示させる表示制御手段と、
を備えることを特徴とするナビゲーション装置。
【請求項６】
前記表示手段は、ヘッドアップディスプレイであり、
前記表示制御手段は、前記簡易地図画像を前記ヘッドアップディスプレイにて表示させる制御を行うことを特徴とする請求項５に記載のナビゲーション装置。
【請求項７】
表示装置によって実行される表示方法であって、
利用者に所望の施設を選択させる選択工程と、
インターネット上の検索エンジンを制御し、前記選択工程により選択された施設のホームページ内から当該施設周辺の簡易地図候補画像を検索させる検索制御工程と、
前記簡易地図候補画像のファイル名に基づいて、前記簡易地図候補画像から簡易地図画像を検出する検出工程と、
前記検出工程により検出された簡易地図画像を表示手段に表示させる表示制御工程と、
を備えることを特徴とする表示方法。
【請求項８】
コンピュータを有する表示装置によって実行されるプログラムであって、
前記コンピュータを、
利用者に所望の施設を選択させる選択手段、
インターネット上の検索エンジンを制御し、前記選択手段により選択された施設のホームページ内から当該施設周辺の簡易地図候補画像を検索させる検索制御手段、
前記簡易地図候補画像のファイル名に基づいて、前記簡易地図候補画像から簡易地図画像を検出する検出手段、
前記検出手段により検出された簡易地図画像を表示手段に表示させる表示制御手段、
として機能させることを特徴とするプログラム。
【請求項９】
請求項８に記載のプログラムを記録したことを特徴とする記録媒体。
【発明の詳細な説明】
【技術分野】
【０００１】
本発明は、簡易地図画像を表示する技術分野に関する。
【背景技術】
【０００２】
この種の技術が、例えば特許文献１に提案されている。特許文献１には、最新の地図データを基にした簡易地図画像を表示する技術が提案されている。具体的には、この技術では、ナビゲーションサーバは、最新の地図データに基づいて、ナビゲーション装置に最新のデータが記憶されていないノードの情報を、不足情報としてナビゲーション装置に送信する。そして、ナビゲーション装置は、ナビゲーションサーバから受信した不足情報に基づいて簡易地図画像を作成し、当該簡易地図画像を用いて車両を誘導する。
【先行技術文献】
【特許文献】
【０００３】
【特許文献１】特開２０１１−１７９８４４号公報
【発明の概要】
【発明が解決しようとする課題】
【０００４】
ところで、所定の施設のホームページにはアクセスマップが掲載されている場合があるが、アクセスマップは、簡素でありながら施設周辺のランドマークや交通の要所などが強調して示されており、ユーザにとって非常に分かり易いものである場合が多い。したがって、ナビゲーション装置などにおいて、ユーザによって選択された施設のアクセスマップを表示できれば便宜である。なお、上記した特許文献１に記載された簡易地図画像は、最新の地図データを基にした点で有効ではあるが、必ずしもユーザにとって分かり易いものではなかった。【０００５】
本発明が解決しようとする課題としては、上記のものが一例として挙げられる。本発明は、ユーザによって選択された施設の簡易地図画像を適切に表示させることが可能な表示装置などを提供することを主な目的とする。
【課題を解決するための手段】
【０００６】
請求項に記載の発明では、表示装置は、利用者に所望の施設を選択させる選択手段と、インターネット上の検索エンジンを制御し、前記選択手段により選択された施設のホームページ内から当該施設周辺の簡易地図候補画像を検索させる検索制御手段と、前記簡易地図候補画像の情報を基に、前記簡易地図候補画像から簡易地図画像を検出する検出手段と、前記検出手段により検出された簡易地図画像を表示手段に表示させる表示制御手段と、を備えることを特徴とする。【０００７】
また、請求項に記載の発明では、移動体と共に移動するナビゲーション装置は、利用者に所望の施設を目的地として選択させる選択手段と、インターネット上の検索エンジンを制御し、前記選択手段により選択された施設のホームページ内から当該施設周辺の簡易地図候補画像を検索させる検索制御手段と、前記簡易地図候補画像の情報を基に、前記簡易地図候補画像から簡易地図画像を検出する検出手段と、前記移動体が前記目的地である施設から所定距離内に接近した場合に、前記検出手段により検出された簡易地図画像を表示手段に表示させる表示制御手段と、を備えることを特徴とする。【０００８】
また、請求項に記載の発明では、表示装置によって実行される表示方法は、利用者に所望の施設を選択させる選択工程と、インターネット上の検索エンジンを制御し、前記選択工程により選択された施設のホームページ内から当該施設周辺の簡易地図候補画像を検索させる検索制御工程と、前記簡易地図候補画像の情報を基に、前記簡易地図候補画像から簡易地図画像を検出する検出工程と、前記検出工程により検出された簡易地図画像を表示手段に表示させる表示制御工程と、を備えることを特徴とする。【０００９】
また、請求項に記載の発明では、コンピュータを有する表示装置によって実行されるプログラムは、前記コンピュータを、利用者に所望の施設を選択させる選択手段、インターネット上の検索エンジンを制御し、前記選択手段により選択された施設のホームページ内から当該施設周辺の簡易地図候補画像を検索させる検索制御手段、前記簡易地図候補画像の情報を基に、前記簡易地図候補画像から簡易地図画像を検出する検出手段、前記検出手段により検出された簡易地図画像を表示手段に表示させる表示制御手段、として機能させることを特徴とする。
【図面の簡単な説明】
【００１０】
【図１】本実施例に係るナビゲーション装置の概略構成を示す。
【図２】本実施例に係るアクセスマップの表示例を説明するための図を示す。
【図３】本実施例に係る処理フローを示す。
【図４】ヘッドアップディスプレイの概略構成図である。
【発明を実施するための形態】
【００１１】
本発明の１つの観点では、表示装置は、利用者に所望の施設を選択させる選択手段と、インターネット上の検索エンジンを制御し、前記選択手段により選択された施設のホームページ内から当該施設周辺の簡易地図候補画像を検索させる検索制御手段と、前記簡易地図候補画像の情報を基に、前記簡易地図候補画像から簡易地図画像を検出する検出手段と、前記検出手段により検出された簡易地図画像を表示手段に表示させる表示制御手段と、を備える。
【００１２】
上記の表示装置は、インターネット上の検索エンジンを制御し、利用者により選択された施設のホームページ内から当該施設周辺の簡易地図候補画像を検索させ、簡易地図候補画像の情報に基づいて簡易地図候補画像から検出された簡易地図画像（例えばアクセスマップ）を表示手段に表示させる。これにより、利用者によって選択された施設周辺の交通の要所などを利用者に直感的に把握させることができる。
【００１３】
上記の表示装置の一態様では、前記検出手段は、前記簡易地図候補画像のファイル名を基に、前記簡易地図候補画像から前記簡易地図画像を検出する。好適な例では、前記検出手段は、前記ファイル名に所定の文字列が含まれる簡易地図候補画像を前記簡易地図画像として検出する。これにより、簡易地図候補画像から簡易地図画像を適切に検出することができる。
【００１４】
上記の表示装置の他の一態様では、前記検出手段は、前記簡易地図候補画像のファイル名及び画像サイズを基に、前記簡易地図候補画像から前記簡易地図画像を検出する。好適な例では、前記検出手段は、前記ファイル名に所定の文字列が含まれ、且つ前記画像サイズが所定値以上である簡易地図候補画像を前記簡易地図画像として検出する。これにより、簡易地図候補画像から簡易地図画像をより適切に検出することができる。
【００１５】
本発明の他の観点では、移動体と共に移動するナビゲーション装置は、利用者に所望の施設を目的地として選択させる選択手段と、インターネット上の検索エンジンを制御し、前記選択手段により選択された施設のホームページ内から当該施設周辺の簡易地図候補画像を検索させる検索制御手段と、前記簡易地図候補画像の情報を基に、前記簡易地図候補画像から簡易地図画像を検出する検出手段と、前記移動体が前記目的地である施設から所定距離内に接近した場合に、前記検出手段により検出された簡易地図画像を表示手段に表示させる表示制御手段と、を備える。
【００１６】
上記のナビゲーション装置では、移動体が目的地である施設から所定距離内に接近した場合に、簡易地図候補画像から検出された簡易地図画像を表示手段に表示させる。これにより、移動体が目的地の施設に接近した際に、当該施設周辺の交通の要所などを利用者に直感的に把握させることができる。よって、目的地の施設付近において、利用者にとって分かり易い態様にて誘導を行うことが可能となる。
【００１７】
好適な例では、前記表示手段は、ヘッドアップディスプレイであり、前記表示制御手段は、前記簡易地図画像を前記ヘッドアップディスプレイにて表示させる制御を行う。簡易地図画像は簡素で要点が強調されているので、ヘッドアップディスプレイにて簡易地図画像を表示させれば、前方視界を適切に確保しつつ、施設周辺の交通の要所などを利用者に直感的に把握させることができる。
【００１８】
また、本発明の他の観点では、表示装置によって実行される表示方法は、利用者に所望の施設を選択させる選択工程と、インターネット上の検索エンジンを制御し、前記選択工程により選択された施設のホームページ内から当該施設周辺の簡易地図候補画像を検索させる検索制御工程と、前記簡易地図候補画像の情報を基に、前記簡易地図候補画像から簡易地図画像を検出する検出工程と、前記検出工程により検出された簡易地図画像を表示手段に表示させる表示制御工程と、を備える。
【００１９】
また、本発明の他の観点では、コンピュータを有する表示装置によって実行されるプログラムは、前記コンピュータを、利用者に所望の施設を選択させる選択手段、インターネット上の検索エンジンを制御し、前記選択手段により選択された施設のホームページ内から当該施設周辺の簡易地図候補画像を検索させる検索制御手段、前記簡易地図候補画像の情報を基に、前記簡易地図候補画像から簡易地図画像を検出する検出手段、前記検出手段により検出された簡易地図画像を表示手段に表示させる表示制御手段、として機能させる。
【００２０】
上記のプログラムは、記録媒体に記録した状態で好適に取り扱うことができる。
【実施例】
【００２１】
以下、図面を参照して本発明の好適な実施例について説明する。【００２２】
［装置構成］
図１は、本実施例に係るナビゲーション装置１の構成を示す。ナビゲーション装置１には、車両に設置される据え置き型の一般的なナビゲーション装置や、ＰＮＤ（Portable Navigation Device）だけでなく、スマートフォンなどの携帯端末も含むものとする。なお、ナビゲーション装置１は、本発明における「表示装置」の一例に相当する。【００２３】
図１に示すように、ナビゲーション装置１は、主に、自立測位装置１０、ＧＰＳ受信機１８、システムコントローラ２０、ディスクドライブ３１、データ記憶ユニット３６、通信用インタフェース３７、通信装置３８、表示ユニット４０、音声出力ユニット５０、及び入力装置６０を備える。【００２４】
自立測位装置１０は、加速度センサ１１、角速度センサ１２及び距離センサ１３を備える。加速度センサ１１は、例えば圧電素子からなり、車両の加速度を検出し、加速度データを出力する。角速度センサ１２は、例えば振動ジャイロからなり、車両の方向変換時における車両の角速度を検出し、角速度データ及び相対方位データを出力する。距離センサ１３は、車両の車輪の回転に伴って発生されているパルス信号からなる車速パルスを計測する。【００２５】
ＧＰＳ受信機１８は、複数のＧＰＳ衛星から、測位用データを含む下り回線データを搬送する電波１９を受信する。測位用データは、緯度及び経度情報等から車両の絶対的な位置（現在位置）を検出するために用いられる。なお、各種の制御や処理で用いる現在位置としては、ＧＰＳ受信機１８から取得された値を用いることに限定はされず、ＧＰＳ受信機１８から取得された値及び／又は自立測位装置１０から取得された値に基づいて求めた値を用いても良い。【００２６】
システムコントローラ２０は、インタフェース２１、ＣＰＵ（Central Processing Unit）２２、ＲＯＭ（Read Only Memory）２３及びＲＡＭ（Random Access Memory）２４を含んでおり、ナビゲーション装置１全体の制御を行う。【００２７】
インタフェース２１は、加速度センサ１１、角速度センサ１２及び距離センサ１３並びにＧＰＳ受信機１８とのインタフェース動作を行う。そして、これらから、車速パルス、加速度データ、相対方位データ、角速度データ、ＧＰＳ測位データ、絶対方位データ等をシステムコントローラ２０に入力する。ＣＰＵ２２は、システムコントローラ２０全体を制御する。例えば、ＣＰＵ２２は、データ記憶ユニット３６に記憶された地図データなどに基づいて、目的地までの案内ルート（案内経路）を求め、その案内ルートに基づいてルート案内を行う。本実施例でＣＰＵ２２が行う処理・制御については、詳細は後述する。ＲＯＭ２３は、システムコントローラ２０を制御する制御プログラム等が格納された図示しない不揮発性メモリ等を有する。ＲＡＭ２４は、入力装置６０を介して使用者により予め設定された経路データ等の各種データを読み出し可能に格納したり、ＣＰＵ２２に対してワーキングエリアを提供したりする。【００２８】
システムコントローラ２０、ＣＤ−ＲＯＭドライブ又はＤＶＤ−ＲＯＭドライブなどのディスクドライブ３１、データ記憶ユニット３６、通信用インタフェース３７、表示ユニット４０、音声出力ユニット５０及び入力装置６０は、バスライン３０を介して相互に接続されている。【００２９】
ディスクドライブ３１は、システムコントローラ２０の制御の下、ＣＤ又はＤＶＤといったディスク３３から、音楽データ、映像データなどのコンテンツデータを読み出し、出力する。なお、ディスクドライブ３１は、ＣＤ−ＲＯＭドライブ又はＤＶＤ−ＲＯＭドライブのうち、いずれか一方としてもよいし、ＣＤ及びＤＶＤコンパチブルのドライブとしてもよい。【００３０】
データ記憶ユニット３６は、例えばＨＤＤなどにより構成され、地図データなどを記憶するユニットである。例えば、地図データには、リンクのデータや、ノードのデータや、施設に関するデータなどが含まれる。ここで、施設に関するデータは、例えば、施設の位置（位置座標）と、施設名称と、施設の住所とが関連付けられたデータである。【００３１】
通信装置３８は、無線通信方式にてインターネットに接続可能に構成されている。１つの例では、通信装置３８は、携帯電話や専用の通信カードなどにより構成される。インタフェース３７は、通信装置３８のインタフェース動作を行い、通信装置３８が受信した情報をシステムコントローラ２０等に入力する。なお、上記のような通信装置３８の他に、ＦＭチューナやビーコンレシーバなどをナビゲーション装置１に設けても良い。【００３２】
表示ユニット４０は、システムコントローラ２０の制御の下、各種表示データをディスプレイなどの表示部に表示する。具体的には、システムコントローラ２０は、データ記憶ユニット３６から地図データを読み出す。表示ユニット４０は、システムコントローラ２０によってデータ記憶ユニット３６から読み出された地図データに応じた地図画像などを表示画面上に表示する。表示ユニット４０は、バスライン３０を介してＣＰＵ２２から送られる制御データに基づいて表示ユニット４０全体の制御を行うグラフィックコントローラ４１と、ＶＲＡＭ（Video RAM）等のメモリからなり即時表示可能な画像情報を一時的に記憶するバッファメモリ４２と、グラフィックコントローラ４１から出力される画像データに基づいて、液晶等のディスプレイ４４を表示制御する表示制御部４３と、ディスプレイ４４とを備える。ディスプレイ４４は、例えば対角５〜１０インチ程度の液晶表示装置等からなり、車内のフロントパネル付近に装着される。なお、表示ユニット４０は、本発明における「表示手段」の一例に相当する。【００３３】
音声出力ユニット５０は、システムコントローラ２０の制御の下、ＣＤ−ＲＯＭドライブ３１又はＤＶＤ−ＲＯＭ３２、若しくはＲＡＭ２４等からバスライン３０を介して送られる音声デジタルデータのＤ／Ａ（Digital to Analog）変換を行うＤ／Ａコンバータ５１と、Ｄ／Ａコンバータ５１から出力される音声アナログ信号を増幅する増幅器（ＡＭＰ）５２と、増幅された音声アナログ信号を音声に変換して車内に出力するスピーカ５３とを備えて構成されている。【００３４】
入力装置６０は、各種コマンドやデータを入力するための、キー、スイッチ、ボタン、リモコン、音声入力装置等から構成されている。入力装置６０は、車内に搭載された当該車載用電子システムの本体のフロントパネルやディスプレイ４４の周囲に配置される。また、ディスプレイ４４がタッチパネル方式の場合、ディスプレイ４４の表示画面上に設けられたタッチパネルも入力装置６０として機能する。【００３５】
［制御方法］
次に、本実施例においてＣＰＵ２２が行う制御方法の概要について説明する。【００３６】
本実施例では、ＣＰＵ２２は、ユーザによって選択された施設のアクセスマップをディスプレイ４４に表示させる制御を行う。具体的には、ＣＰＵ２２は、通信装置３８にてインターネットに接続し、インターネット上の検索エンジンを制御することで、ユーザによって選択された施設のホームページ（ＨＰ）から当該施設のアクセスマップの候補を検索させる。そして、ＣＰＵ２２は、検索されたアクセスマップの候補の情報に基づいて、アクセスマップの候補の中からアクセスマップを検出し、当該アクセスマップを表示させる。例えば、ＣＰＵ２２は、ユーザによって選択された施設についての周辺の地図画像（データ記憶ユニット３６に記憶された地図データに基づいて作成される画像）に重ねて、アクセスマップを表示させる。【００３７】
このように、ＣＰＵ２２は、本発明における「選択手段」、「検索制御手段」、「検出手段」及び「表示制御手段」の一例に相当する。また、アクセスマップは、本発明における「簡易地図画像」の一例に相当する。【００３８】
図２は、本実施例に係るアクセスマップの表示例を説明するための図を示す。図２（ａ）は、地図画像の一例を示している。図２（ａ）中の符号１０１は、ユーザによって選択された施設を指し示している。このような地図画像は、データ記憶ユニット３６に記憶された地図データに基づいて作成される。一方で、図２（ｂ）は、本実施例に係るアクセスマップの表示例を示している。図２（ｂ）に示すように、本実施例では、ユーザによって選択された施設１０１（店舗Ａ）についてのアクセスマップ１０２が、図２（ａ）に示すような地図画像上に重ねて表示される。【００３９】
以上説明した本実施例によれば、ユーザによって選択された施設のアクセスマップを表示させることで、当該施設周辺のランドマークや交通の要所などをユーザに直感的に把握させることができる。したがって、本実施例によれば、ユーザにとって分かり易い態様にて施設への誘導を行うことができる。また、本実施例によれば、前述した特許文献１に記載されたような専用サーバ（最新の地図データを格納するナビゲーションサーバ）を必要としない。そのため、本実施例は、簡便なシステム構成にて実現することができる。【００４０】
［処理フロー］
次に、図３を参照して、本実施例に係る処理フローについて説明する。当該処理フローは、ナビゲーション装置１内のＣＰＵ２２によって実行される。【００４１】
まず、ステップＳ１０１では、ＣＰＵ２２は、ユーザによって選択された施設を取得する。１つの例では、ユーザは、地図画像が表示されたタッチパネルや、選択候補となる施設のリストが表示されたタッチパネルをタッチすることで所望の施設を選択し、ＣＰＵ２２は、タッチパネル（入力装置６０）から供給される信号に基づいて、ユーザによって選択された施設を取得する。他の例では、ユーザは所望の施設を音声にて発し、ＣＰＵ２２は、マイク（図１では図示せず）で集音された音声信号を解析（音声認識）することで、ユーザによって選択された施設を取得する。以上のステップＳ１０１の後、処理はステップＳ１０２に進む。【００４２】
ステップＳ１０２では、ＣＰＵ２２は、データ記憶ユニット３６に記憶された地図データ（具体的には施設に関するデータ）を参照することで、ステップＳ１０１で取得された施設についての施設名称及び住所を取得する。そして、処理はステップＳ１０３に進む。【００４３】
ステップＳ１０３では、ＣＰＵ２２は、通信装置３８を介してインターネットに接続するための制御を行う。そして、処理はステップＳ１０４に進む。【００４４】
ステップＳ１０４では、ＣＰＵ２２は、ステップＳ１０２で取得した施設名称及び住所を検索ワードとして用いて、インターネット上の検索エンジンによって検索させる。検索エンジンとしては、例えば「google」や「yahoo」などを用いることができる（「google」及び「yahoo」は登録商標である）。ここで、施設名称に加えて住所を検索ワードに含めているのは、例えばチェーン展開している施設に適切に対応するためである。つまり、チェーン展開している施設では同じ施設名称を有するものが複数存在するが、検索ワードに住所を含めると、同じ施設名称を有する複数の施設の中でユーザによって選択された特定の施設のみについて適切に検索を行うことができるからである。以上のステップＳ１０４の後、処理はステップＳ１０５に進む。【００４５】
ステップＳ１０５では、ＣＰＵ２２は、ステップＳ１０４の検索による結果が取得されたか否かを判定する。つまり、検索結果があるか否かを判定する。検索結果がある場合（ステップＳ１０５：Ｙｅｓ）、処理はステップＳ１０６に進み、検索結果がない場合（ステップＳ１０５：Ｎｏ）、処理は終了する。【００４６】
ステップＳ１０６では、ＣＰＵ２２は、取得された複数の検索結果の中で先頭の検索結果に対応するホームページを特定し、そのホームページのアドレスのドメインをＲＡＭ２４などに記憶させる。この場合、ＣＰＵ２２は、先頭の検索結果に対応するホームページを、ユーザによって選択された施設のホームページとして扱う。但し、ＣＰＵ２２は、先頭の検索結果が、複数の施設についての情報を集めた所定のサイトのホームページであった場合には、当該ホームページのドメインを採用しない。つまり、ＣＰＵ２２は、複数の施設についての情報を集めた所定のサイトを少なくとも外したホームページを採用するようにする。例えば、複数の施設についての情報を集めた所定のサイトのアドレスを予め記憶しておけば、取得された検索結果が当該サイトのものであるか否かを判断することができる。以上のステップＳ１０６の後、処理はステップＳ１０７に進む。【００４７】
ステップＳ１０７では、ＣＰＵ２２は、ステップＳ１０６で記憶されたドメイン内で画像検索を行うための検索ワードを作成する。具体的には、ＣＰＵ２２は、「施設名称」と、「住所」と、「map」又は「access」と、「gif」とから成る検索ワードを作成する。ここで、「施設名称」及び「住所」に加えて「map」又は「access」を検索ワードに含めているのは、アクセスマップを示す画像を効果的に絞り込むためである。また、「gif」を検索ワードに更に含めているのは、アクセスマップを示す画像は「gif」を拡張子としている場合が多いので（つまり、アクセスマップは「gifファイル」である場合が多いので）、アクセスマップを示す画像をより効果的に絞り込むことができるからである。なお、「gif」以外の拡張子を用いた画像は、ナビゲーション装置１などで用いられる地図と同等の画像である場合が多い。以上のステップＳ１０７の後、処理はステップＳ１０８に進む。【００４８】
ステップＳ１０８では、ＣＰＵ２２は、ステップＳ１０７で作成された検索ワードを用いて、ステップＳ１０６で記憶されたドメイン内の画像検索を行う。このような検索により、複数の画像がアクセスマップの候補として得られる。そして、処理はステップＳ１０９に進む。【００４９】
ステップＳ１０９では、ＣＰＵ２２は、カウンタを初期化する。このカウンタは、後述するステップＳ１１１〜Ｓ１１３の処理（検索された画像がアクセスマップであるか否かを判断するための処理）を行った回数をカウントするために用いられる。そして、処理はステップＳ１１０に進む。【００５０】
ステップＳ１１０では、ＣＰＵ２２は、カウンタが所定値以下であるか否かを判定する。例えば、当該所定値として「２０」を用いることができる。カウンタが所定値以下である場合（ステップＳ１１０：Ｙｅｓ）、処理はステップＳ１１１に進む。これに対して、カウンタが所定値以下でない場合（ステップＳ１１０：Ｎｏ）、つまりカウンタが所定値よりも大きい場合、処理は終了する。当該場合は、検索された画像がアクセスマップであるか否かを判断するための処理を行った回数が所定値を超えた場合に相当する。この場合には、ＣＰＵ２２は、検索された画像にアクセスマップが含まれていなかったと判断して、本フローを終了する。【００５１】
ステップＳ１１１では、ＣＰＵ２２は、ステップＳ１０８の検索結果を１つ取得する。つまり、ＣＰＵ２２は、ステップＳ１０８の検索によって得られた複数の画像の中から１つの画像を取得する。そして、処理はステップＳ１１２に進む。【００５２】
ステップＳ１１２では、ＣＰＵ２２は、ステップＳ１１１で取得された画像のファイル名を抜き出し、そのファイル名に所定の文字列が含まれるか否かを判定する。具体的には、ＣＰＵ２２は、ファイル名に「map」又は「access」が含まれるか否かを判定する。ファイル名に「map」又は「access」が含まれる場合（ステップＳ１１２：Ｙｅｓ）、処理はステップＳ１１３に進む。【００５３】
これに対して、ファイル名に「map」又は「access」が含まれていない場合（ステップＳ１１２：Ｎｏ）、ＣＰＵ２２は、ステップＳ１１１で取得された画像がアクセスマップではないと判断する。この場合には、ＣＰＵ２２は、次の画像に対する判定を行うべく、カウンタをインクリメントし（ステップＳ１１４）、処理はステップＳ１１０に戻る。【００５４】
ステップＳ１１３では、ＣＰＵ２２は、ステップＳ１１１で取得された画像のサイズが所定値以上であるか否かを判定する。１つの例では、ＣＰＵ２２は、画像の縦及び横のサイズがそれぞれ２００以上であるか否かを判定する。この判定は、アクセスマップとボタン（アイコン）とを区別するために行っている。つまり、ステップＳ１１１で取得された画像がアクセスマップであるか、それともボタン（アイコン）であるかを判別するために行っている。画像のサイズが所定値以上である場合（ステップＳ１１３：Ｙｅｓ）、ＣＰＵ２２は、ステップＳ１１１で取得された画像がアクセスマップであると判断し、処理はステップＳ１１５に進む。【００５５】
これに対して、画像のサイズが所定値以上でない場合（ステップＳ１１３：Ｎｏ）、つまり画像のサイズが所定値未満である場合、ＣＰＵ２２は、ステップＳ１１１で取得された画像がアクセスマップではないと判断する。言い換えると、ＣＰＵ２２は、ステップＳ１１１で取得された画像がボタン（アイコン）であると判断する。この場合には、ＣＰＵ２２は、次の画像に対する判定を行うべく、カウンタをインクリメントし（ステップＳ１１４）、処理はステップＳ１１０に戻る。【００５６】
ステップＳ１１５では、ＣＰＵ２２は、ステップＳ１１１で取得された画像のデータ（つまりアクセスマップのデータ）をダウンロードする。そして、処理はステップＳ１１６に進む。ステップＳ１１６では、ＣＰＵ２２は、ステップＳ１１５でダウンロードした画像データをディスプレイ４４に表示させる制御を行う。これにより、アクセスマップがディスプレイ４４に表示されることとなる。そして、処理は終了する。【００５７】
以上説明した処理フローによれば、インターネット上の画像を検索することにより、ユーザによって選択された施設のアクセスマップを適切に表示させることができる。【００５８】
［変形例］
以下では、上記した実施例に好適な変形例について説明する。なお、下記の変形例は、任意に組み合わせて上述の実施例に適用することができる。【００５９】
（変形例１）
上記した実施例では、インターネット上の検索エンジンを用いて、ユーザによって選択された施設のホームページを検索していたが（図３のステップＳ１０４参照）、施設のホームページのアドレス（ＵＲＬ）についてのリストを予めデータ記憶ユニット３６などに記憶させておけば、そのような検索を行わなくて良い。この場合には、データ記憶ユニット３６などに記憶されたリストを参照することで、ユーザによって選択された施設のホームページのアドレスを得ることができる。【００６０】
（変形例２）
上記では、ユーザは施設を選択することを述べたが（図３のステップＳ１０１など参照）、そのようにユーザによって選択された施設を目的地に設定しても良い。つまり、ユーザに所望の施設を目的地として選択させることとしても良い。その場合、車両が目的地である施設から所定距離内に接近した際に、上記のようにして得られたアクセスマップを表示させると良い。これにより、車両が目的地の施設に接近した際に、当該施設周辺のランドマークや交通の要所などをユーザに直感的に把握させることができる。よって、目的地の施設付近において、ユーザにとって分かり易い態様にて誘導を行うことが可能となる。【００６１】
（変形例３）
上記した実施例では、画像のファイル名及びサイズの両方に基づいて、当該画像がアクセスマップであるか否かを判定していたが（図３のステップＳ１１２、Ｓ１１３参照）、画像のファイル名のみに基づいて、当該画像がアクセスマップであるか否かを判定しても良い。ファイル名のみに基づいて判定を行うと、ファイル名及びサイズの両方に基づいて判定を行う場合よりも、判定に要する処理量を低減することができる。【００６２】
（変形例４）
上記した実施例では、ナビゲーション装置１がインターネットに接続することでインターネット上のアクセスマップを取得していたが、他の例では、アクセスマップを記憶するサーバを用い、ナビゲーション装置１はそのようなサーバからアクセスマップを取得しても良い。具体的には、他の例では、ナビゲーション装置１は、ユーザによって選択された施設の情報をサーバに送信し、サーバは、施設名称や住所などに関連付けてアクセスマップを記憶させたデータベースを参照することで、ナビゲーション装置１から受信された施設についてのアクセスマップを取得し、当該アクセスマップをナビゲーション装置１に送信する。例えば、サーバは、図３に示すような処理を行うことでアクセスマップを取得し、取得されたアクセスマップを蓄積してくことでデータベースを作成する。サーバは、ナビゲーション装置１から受信された施設についてのアクセスマップがデータベースに記憶されている場合には、データベース内のアクセスマップをナビゲーション装置１に送信し、ナビゲーション装置１から受信された施設についてのアクセスマップがデータベースに記憶されていない場合には、図３に示すような処理を行うことでアクセスマップを取得し、取得されたアクセスマップをナビゲーション装置１に送信する。【００６３】
（変形例５）
上記した実施例では、本発明をナビゲーション装置１に適用した例を示したが、本発明をナビゲーション装置１に適用することに限定はされない。本発明は、運転者の目の位置（アイポイント）から虚像としての画像を視認させるヘッドアップディスプレイにも適用することができる。つまり、本発明における「表示手段」として、ヘッドアップディスプレイを適用しても良い。【００６４】
図４は、ヘッドアップディスプレイ２の概略構成図である。図４に示すように、ヘッドアップディスプレイ２は、光源ユニット３と、コンバイナ９とを備え、フロントウィンドウ２５、天井部２７、ボンネット２８、及びダッシュボード２９などを備える車両に取り付けられる。【００６５】
光源ユニット３は、支持部材５ａ、５ｂを介して車室内の天井部２７に設置され、表示すべき画像を構成する光を、コンバイナ９に向けて出射する。具体的には、光源ユニット３は、上記したナビゲーション装置１によって生成された画像（例えばアクセスマップの画像など）を取得し、その画像を構成する光をコンバイナ９へ出射することで、コンバイナ９を介して運転者に虚像Ｉｖを視認させる。例えば、光源ユニット３は、レーザ光源やＬＣＤ光源などの光源を有しており、光源から光を出射する。【００６６】
コンバイナ９は、ハーフミラーとして構成されている。コンバイナ９は、光源ユニット３から出射される表示像が投影されると共に、表示像を運転者のアイポイントＰｅへ反射することで当該表示像を虚像Ｉｖとして視認させる。そして、コンバイナ９は、天井部２７に設置された支持軸部８を有し、支持軸部８を支軸として回動する。支持軸部８は、例えば、フロントウィンドウ２５の上端近傍の天井部２７、言い換えると運転者用の図示しないサンバイザが設置される位置の近傍に設置される。なお、支持軸部８は、上述のサンバイザに代えて設置されても良い。【００６７】
このようなヘッドアップディスプレイ２は、車両の進行方向の実風景に重ね合わせて画像を表示させるため、表示の情報量が多いと運転者の前方視界に影響を与えてしまう可能性がある。したがって、そのようなヘッドアップディスプレイ２にて上記したようなアクセスマップを表示させれば、アクセスマップは簡素で要点が強調されているので、運転者の前方視界を適切に確保しつつ、施設周辺の交通の要所などをユーザに直感的に把握させる上で効果的である。【００６８】
（変形例６）
上記した実施例では、本発明における「簡易地図画像」の例としてアクセスマップを示したが、本発明はアクセスマップへの適用に限定はされない。本発明は、アクセスマップ以外にも、簡素で要点が強調されたような地図画像に適用することができる。
【符号の説明】
【００６９】
１  ナビゲーション装置
２  ヘッドアップディスプレイ
２２  ＣＰＵ
３６  データ記憶ユニット
４４  ディスプレイ
【図１】
0005829345.tif 000002
【図２】
0005829345.tif 000003
【図３】
0005829345.tif 000004
【図４】
0005829345.tif 000005